(57)【要約】【課題】少ない部品で、簡便かつ堅固にカーテンウオールの取り付けができ、コストと手間のかからない施工を可能とする外壁を提供する。【解決手段】間隔をあけて設けられた左右の縦材１４ａ、１４ｂと、縦材に直交する方向に上下に架け渡された上部材１４ｃと下部材１４ｄからなる枠ユニット１４を備え、枠ユニットは、縦材に設けられた嵌合部１４ｅ、１４ｆにより縦横に連結されて平面状に組合わされるとともに、各枠ユニットに備えられた固定具７４、７５、７６、７７、７８、７９、８０、８１、８２、８３、８４、８５によって建物躯体５０へ取り付けられるよう構成されたカーテンウオール１０を備えており、最下段からｍ番目、左右の端部からｎ番目（ｍ、ｎは１以上の整数）の枠ユニットをｍＵｎとするとき、固定具はｍ≧２、ｎ≧２の時、左右縦枠いずれか一方の上部１か所に前記枠ユニットｍＵｎに取り付ける。【選択図】      図２
2005002574.tif 000002
【特許請求の範囲】
【請求項１】
間隔をあけて設けられた左右の縦材と、前記縦材に直交する方向に上下に架け渡された上部材と下部材からなる枠ユニットを備え、該枠ユニットは、該縦材に設けられた嵌合部により縦横に連結されて平面状に組合わされるとともに、前記各枠ユニットに備えられた固定具によって建物躯体へ取り付けられるよう構成されたカーテンウオールを備え、
最下段からｍ番目、左右の端部からｎ番目（ｍ、ｎは１以上の整数）の前記枠ユニットをｍＵｎとするとき、前記固定具はｍ≧２、ｎ≧２の時、左右縦枠いずれか一方の上部１か所に前記枠ユニットｍＵｎに取り付けられている
ことを特徴とする外壁。
【請求項２】
間隔をあけて設けられた左右の縦材と、前記縦材に直交する方向に上下に架け渡された上部材と下部材からなる枠ユニットを備え、該枠ユニットは、該縦材に設けられた嵌合部により縦横に連結されて平面状に組合わされるとともに、前記各枠ユニットに備えられた固定具によって建物躯体へ取り付けられるよう構成されたカーテンウオールを備え、
最下段からｍ番目、左右の端部からｎ番目（ｍ、ｎは１以上の整数）の前記枠ユニットをｍＵｎとするとき、前記固定具は以下の位置に前記枠ユニットｍＵｎに取り付けられていることを特徴とする外壁。
（１）ｍ＝１、ｎ＝１の時、左右縦枠の上部および下部（４個所）
（２）ｍ＝１、ｎ≧２の時、左右縦枠いずれか一方の上部および下部（２個所）
（３）ｍ≧２、ｎ＝１の時、左右縦枠それぞれの上部（２個所）
（４）ｍ≧２、ｎ≧２の時、左右縦枠いずれか一方の上部（１か所）
ただし、ｎを右端側から数えたときは上記「左右いずれか」は左側、左端側から数えたときは右側とする。
【発明の詳細な説明】
【０００１】
【発明の属する技術分野】
本発明は、カーテンウオール等の建物の外壁に関する。
【０００２】
【従来の技術】
家庭電化製品の量販店などの建物は、店舗のイメージを高めるため建物正面部分にガラスパネルを多用したカーテンウオール構造を配したものが多い。カーテンウオールとしては、左右に隣接する方立間に無目を連結し、左右に隣接する方立と、上下に隣接する無目間でできた枠体にパネルを装着したものが知られている。パネルを装着した形状を１つの枠ユニットとし、この枠ユニット形カーテンウオールを上下左右方向に連結し、外壁を構築することができる。
【０００３】
図７（ａ）は、外壁を備えた建物２００の正面図であって、外壁２０１には枠ユニット２０２〜２１７が建物の躯体幅、躯体高に連結して組まれた、外壁２１８が設けられている。近年は、１枠ユニットごとに、例えば、枠体２０２ａの組み立て、パネル２０２ｂの嵌め込み等をすべて工場において行い、同様に枠ユニット２０３〜２１７まで、必要数分を作り上げて現場に搬送するというユニット工法が多く用いられている。このユニット工法では、建築現場でこの枠ユニット２０２〜２１７を建物２００の外壁２０１に施工するだけの作業となるため、高所において枠ユニット２０２〜２１７を組み立てる煩わしさもなく、工事の省力化がはかられている。
【０００４】
（ｂ）は、公知のユニット工法によって外壁へ取り付けられたカーテンウオールを示す概念図である。１階Ａの枠ユニット２０２は、建物２００に取り付けられたファスナー２５０ａ、２５０ｂ、２５０ｃ、および２５０ｄを介して方立２６０、および２６１に備えられたアーム部２５１、２５２、２５３、および２５４によって４箇所ねじ止めされている。この枠ユニット２０２と同じ工法により、枠ユニット２０３、および２０４が施工されている。２階Ｂの枠ユニット２０５は、枠ユニット２０２に連結されるように組み立てられ、上部のファスナー２５５ａ、および２５５ｂを介して方立２６２、および２６３に備えられたアーム部２５６、および２５７によって２箇所ねじ止めされている。枠ユニット２０６は、枠ユニット２０５と同じ工法により取り付けられている。２階Ｂより上の階である３階Ｃ〜最上階までのカーテンウオール２１８は、全て２階Ｂの各枠ユニットと同じ工法で取り付けられている。
【０００５】
特許文献１には、かかる従来の外壁方立の水平断面が開示されており、これを図８に示す。（但し参照符号のみ本明細書に整合するように変えている。）枠ユニット２０３の第一方立２８０には、室外側からみて右上方にあたるアーム部２７２が備えられており、ファスナー２７０ｂにねじ２７５によってねじ止めされている。また、右に隣接する枠ユニット２０４の第一方立３００には、室外側からみて右上方にあたるアーム部２９１が備えられており、ファスナー２７０ｂにねじ２９５によってねじ止めされている。
【特許文献１】特開平７−３０５４３８号公報
【０００６】
【発明が解決しようとする課題】
しかし、カーテンウオールを建物に取り付ける際、ねじ止めする箇所が多く、現場作業時間が長くかかり手間がかかっていた。また、ねじ等の部品が多く必要でもあった。
【０００７】
そこで本発明は、少ない部品で、簡便かつ堅固にカーテンウオールの取り付けができ、コストと手間のかからない施工を可能とする外壁を提供することを課題とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
請求項１の発明は、間隔をあけて設けられた左右の縦材（１４ａ、１４ｂ）と、縦材に直交する方向に上下に架け渡された上部材（１４ｃ）と下部材（１４ｄ）からなる枠ユニット（１４）を備え、枠ユニットは、縦材に設けられた嵌合部（１４ｅ、１４ｆ）により縦横に連結されて平面状に組合わされるとともに、各枠ユニットに備えられた固定具（７４、７５、７６、７７、７８、７９、８０、８１、８２、８３、８４、８５）によって建物躯体（５０）へ取り付けられるよう構成されたカーテンウオール（１０）を備え、最下段からｍ番目、左右の端部からｎ番目（ｍ、ｎは１以上の整数）の枠ユニットをｍＵｎとするとき、固定具はｍ≧２、ｎ≧２の時、左右縦枠いずれか一方の上部１か所に前記枠ユニットｍＵｎに取り付けられていることを特徴とする外壁（３６）を提供して前記課題を解決する。
【００１０】
要するに本発明では、従来のようにユニット毎に４個ずつ、もしくは２つずつ取付け金具を取り付ける（図６（ｂ）参照）必要がなく、図６（ａ）に示すような取り付け個数で済む。従って、請求項１の発明によれば、カーテンウオールを構成する枠ユニットにおいて、隣接する枠ユニットと固定具を併用することで、従来工法と同様の取付け強度を保持しつつ、固定具、及び固定部品等を減らすことができ、低コストで強固にカーテンウオールを施工できる。ただし、上記請求項１において、固定具は、ｎを右端側から数えたときは上記「左右いずれか」は左側、左端側から数えたときは右側に前記枠ユニットｍＵｎに取り付けられていることが好ましい。
【００１１】
請求項２の発明は、間隔をあけて設けられた左右の縦材（１４ａ、１４ｂ）と、縦材に直交する方向に上下に架け渡された上部材（１４ｃ）と下部材（１４ｄ）からなる枠ユニット（１４）を備え、枠ユニットは、縦材に設けられた嵌合部（１４ｅ、１４ｆ）により縦横に連結されて平面状に組合わされるとともに、各枠ユニットに備えられた固定具（７４、７５、７６、７７、７８、７９、８０、８１、８２、８３、８４、８５）によって建物躯体（５０）へ取り付けられるよう構成されたカーテンウオール（１０）を備え、最下段からｍ番目、左右の端部からｎ番目（ｍ、ｎは１以上の整数）の枠ユニットをｍＵｎとするとき、固定具は以下の位置に前記枠ユニットｍＵｎに取り付けられていることを特徴とする外壁（３６）を提供して前記課題を解決する。
（１）ｍ＝１、ｎ＝１の時、左右縦枠の上部および下部（４個所）
（２）ｍ＝１、ｎ≧２の時、左右縦枠いずれか一方の上部および下部（２個所）
（３）ｍ≧２、ｎ＝１の時、左右縦枠それぞれの上部（２個所）
（４）ｍ≧２、ｎ≧２の時、左右縦枠いずれか一方の上部（１か所）
ただし、ｎを右端側から数えたときは上記「左右いずれか」は左側、左端側から数えたときは右側とする。
【００１２】
請求項２の発明によれば、カーテンウオールを構成する枠ユニットのうち、隣接する左部材と右部材とを１つの枠として固定し、上下で隣接する左部材と右部材においても１つの枠として固定し、さらに隣接する部材のない左部材、もしくは右部材は、単独で固定することが可能となる。そのため、固定具、及び固定部品等を減らしつつ、端部のユニットにおいては必要個数の固定具を使用することにより従来工法と同様の取付け強度が保持され、低コストで、かつ取付けの手間が省かれるため工期を短縮してカーテンウオールを施工することができる。
【００１３】
本発明のこのような作用及び利得は、次に説明する実施の形態から明らかにされる。
【００１４】
【発明の実施の形態】
以下本発明を図面に示す実施形態に基づき説明する。
【００１５】
図１は、本発明の外壁１０を備えた建物１の正面図である。かかる建物１は、家電量販店等の店舗に多く採用されている。一階部分に出入り口１１が設けられている。正面部分の外壁１０は、通常カーテンウオールと呼ばれ、左右方向に間隔をおいて立設された複数の方立１２ａ〜１２ｅと、この方立と直交する方向に方立間に架け渡された横材１３ａ〜１３ｌとが縦横に配されている。なお、図では方立１２ａ〜１２ｅがそれぞれ上下方向に略一直線に連続しているようにみえるが、横材１３ａ〜１３ｌによって分断されている。また、横材１３ａ〜１３ｌにおいても水平方向に連続しているようにみえるが、下記各ユニットに分断されている。すなわち、点線の丸枠Ａ内に示された略Ｈ型に表されている枠ユニット１４が基本構造枠ユニットであって、外壁１０（以下、「カーテンウオール１０」という。）は枠ユニット１５〜３５までが組み合わされることで形成されている。
【００１６】
図２は、ユニット工法によって建物外壁３６へ取り付けられたカーテンウオール１０を示す概念図である。本図では、三階建ての建物５０を例に説明する。外壁３６にはカーテンウオール１０を取り付けるためのファスナー５０〜６５が設けられている。カーテンウオール１０は、枠ユニットにふられた参照符号の数字の小さい順に外壁３６に施工される。枠ユニット１４は、左部材１４ａ、および右部材１４ｂによって構成されている縦材と、縦材に水平方向に架け渡されている１４ｃ、および１４ｄの横材と、これらの縦材および横材１４ａ  〜１４ｄに挟持されるように形成された、例えばガラス材等のパネル４０によって構成されている。枠ユニット１４〜２２には、ファスナー５０〜６５に取り付けられるためのユニットブラケット７０〜８５が設けられている。枠ユニット１４〜２２を、最下段からｍ番目（ｍは１以上の整数）、左端からｎ番目（ｎは１以上の整数）とするとき、左端部のｍ＝１、ｎ＝１で示される枠ユニット１４には、ファスナー５０、５１、５４、および５５に取り付けられるユニットブラケット７０、７１、７４、および７５が左部材１４ａの上下端部に２箇所と、右部材１４ｂの上下端部に２箇所設けられている。
【００１７】
ｍ＝１、左端からｎ≧２で示される枠ユニット１５（および本図においては枠ユニット１６）には、ファスナー５６、および５２に取り付けられるユニットブラケット７６、および７２が、右部材１５ｂの上下端部に２箇所設けられている。
【００１８】
さらに、ｍ≧２、左端部のｎ＝１で示される枠ユニット１７、および枠ユニット２０には、ファスナー５８、５９、および６２、６３に取り付けられるユニットブラケット７８、７９、およびユニットブラケット８２、８３（本図には現れていない）が左部材１７ａ、または左部材２０ａの上端部に１箇所ずつと、右部材１７ｂ、または左部材２０ｂの上端部の位置に１箇所ずつ設けられている。
【００１９】
また、ｍ≧２、左端からｎ≧２で示される枠ユニット１８、１９、２１、２２には、ファスナー６０、６１、６４、６５に取り付けられるユニットブラケット８０、８１、８４、および８５が、それぞれ右部材１８ｂ、１９ｂ、２１ｂ、２２ｂの上端部に１箇所設けられている。
【００２０】
ｍ＝２の枠ユニット１７〜１９は、ｍ＝１の枠ユニット１４〜１６の左部材１４ａ、右部材１４ｂ、左部材１５ａ、右部材１５ｂの左部材１６ａ、右部材１６ｂの上端部にそれぞれ形成されている嵌合部１４ｅ、１４ｆ、１５ｅ、１５ｆ、１６ｅ、および１６ｆの上に設置される。さらに、ｍ＝３の枠ユニット２０〜２２は枠ユニット１７〜１９に設けられた嵌合部１７ｅ、１７ｆ、１８ｅ（１７ｅ〜１８ｅは本図に現れていない。）１８ｆ、１９ｅ、および１９ｆの上に設置されている。
【００２１】
枠ユニット１４〜２２は、それぞれに設けられた上記のユニットブラケット５４〜８５を介して外壁３６にねじ止めされカーテンウオール１０を形成する。
【００２２】
また、下記に詳述するとおり、枠ユニット１４〜２２は、横方向に隣り合う枠ユニットと接する左部材、もしくは右部材が１本の部材となるように長手方向に係合される。
【００２３】
図３は、枠ユニットを構成する部材を概略的に示した斜視図である。図（ａ）はｍ≧２、ｎ≧２で示される枠ユニット１８、１９、２１、２２を表している。ここでは、図２とは室内外の方向を逆に表し、枠ユニット１８を例として説明する。左部材１８ａ、および右部材１８ｂにそれぞれ形成されている折り返し部９０ａ（図示せず。）および折り返し部９０ｂが、上部材１８ｃ、および下部材１８ｄに設けられた溝９１、および９２に嵌められている。さらに上部材１８ｃが左端部をねじ９３ａ〜９３ｄに、右端部をねじ９３ｅ〜９３ｈ（本図には現れていない）によって螺合され、下部材１８ｄが左端部をねじ９４ａ〜９４ｄに、右端部をねじ９４ｅ〜９４ｈ（本図には現れていない。）によって螺合されて固定されている。また、パネル４０ｅはこれらの部材１８ａ〜１８ｄに挟持されて設けられている。左部材１８ａの上端部には嵌合部１８ｅがねじ９５ａ〜９５ｄによって螺合され、右部材１８ｂの上端部には、嵌合部１８ｆがねじ９６ａ〜９６ｄ（本図には現れていない。）によって螺合されている。
【００２４】
さらに、ユニットブラケット８０が右部材１８ｂの上端部に、ねじ８０ａ、および８０ｂによって右部材１８ｂの幅よりもわずかに大きく固定されている。
【００２５】
図（ｂ）はｍ≧２、ｎ＝１で示される枠ユニット１７、２０を表している。本図では枠ユニット１７を例として説明する。左部材１７ａ、および右部材１７ｂにそれぞれ形成されている折り返し部９７ａ（図示せず。）および折り返し部９７ｂが、上部材１７ｃ、および下部材１７ｄに設けられた溝９８、および９９に嵌められている。さらに上部材１７ｃが左端部をねじ１００ａ〜１００ｄに、右端部をねじ１００ｅ〜１００ｈ（本図には現れていない。）によって螺合され、下部材１７ｄが左端部をねじ１０１ａ〜１０１ｄに、右端部をねじ１０１ｅ〜１０１ｈ（本図には現れていない。）によって螺合されて固定されている。また、パネル４０ｄはこれらの部材１７ａ〜１７ｄに挟持されて設けられている。左部材１７ａの上端部には嵌合部１７ｅがねじ１０２ａ〜１０２ｄによって螺合され、右部材１７ｂの上端部には、嵌合部１７ｆがねじ１０３ａ〜１０３ｄ（本図には現れていない。）によって螺合されている。
【００２６】
さらに、ユニットブラケット７８が右部材１７ｂの上端部に、ねじ７８ａ、および７８ｂによって右部材１７ｂの幅よりも大きく固定されている。同様に、ユニットブラケット７９が左部材１７ａに、ねじ７９ａ、７９ｂによって固定されている。
【００２７】
上記のとおり、枠ユニット１７の右部材１７ｂと、枠ユニット１８の左部材１８ａとが係合されると、嵌合部１７ｆと嵌合部１８ｅとがねじ９５ａ〜９５ｄのねじ頭と、ねじ１０２ｅ〜１０２ｈのねじ頭とを対抗面として略四角柱を形成する。この四角柱は、枠ユニット１７の右部材１７ｂと、枠ユニット１８の左部材１８ａとによって形成された四角柱よりも、嵌合部切断面が僅かに小さい（図２参照）。従って、縦方向に連結が可能となる。
【００２８】
なお、ｍ＝１、ｎ＝１で示される枠ユニット１４は、ユニットブラケット５０、５１、５４、５５（図２参照）が左右部材１４ａ、および１４ｂの上端部、下端部に、図３（ｂ）に示した枠ユニット１７のブラケット７８、および７９に対して上下対称に４箇所となるように設けられる。また、ｍ＝１、ｎ≧２で示される枠ユニット１５、および枠ユニット１６は、ユニットブラケット５２、５６、およびユニットブラケット５３、５７（図２参照）が右部材１５ｂ、および１６ｂの上端部と下端部とに、図３（ｂ）に示した枠ユニット１７のユニットブラケット７８に対して上下対称に２箇所となるように設けられる。
【００２９】
図４には、ＩＶ−ＩＶ線に沿った矢視水平断面図により示す。枠ユニット１７、および枠ユニット１８には、パネル４０ｄ、および４０ｅが室外側はシール１１０ａ、および１１０ｂと、シール止め１１２ａ、および１１２ｂを介して、室内側はビード、もしくはシール１１１ａ、および１１１ｂを介して取り付けられている。
【００３０】
上記のとおり、枠ユニット１７の右部材１７ｂと、枠ユニット１８の左部材１８ａとが組み合わされて一体となることによって、方立Ｈ２が形成されている。
【００３１】
右部材１７ｂは室外側に面する正面壁１１３と、正面壁１１３の右端部から室内側に延在する第一係合壁１１４と、第一係合壁１１４の室内側端部から左方向に折り返して形成された内部壁１１５と、内部壁１１５の左端部から室内方向に折り返されて室内側端部に達する左壁１１６と、左壁１１６の室内側端部よりやや室外側寄りから右方向に下記右部材１８ａの室内側線端部まで達するように延在する第二係合壁１１７とを備えている。
【００３２】
左部材１８ａは、室外側に面する正面壁１３０と、正面壁１３０の左端部から室内側に延在する第一係合壁１３１と、第一係合壁１３１の室内側端部から右方向に折り返して形成された内部壁１３２と、内部壁１３２の右端部から室内方向に折り返されて室内側端部に達する左壁１３３と、左壁１３３の室内側端部よりやや室外寄りから左方向に略Ｓ字型に延在する第二係合壁１３４とを備えている。
【００３３】
室外側係合部１３５においては、右部材１７ｂの正面壁１１３の右端側に左部材１８ａの正面壁１３０の左端側が当接されるとともに、右部材１７ｂの第一係合壁１１４に設けられた被嵌入部１１４ａに、左部材１８ａの第一係合壁１３１に設けられた突片１３１ａが嵌入され、さらに第一係合壁１３１の室内側端部に左方向に延設された被嵌入部１３１ｂに、内部壁１１５の右側先端に設けられた嵌入片１１５ｂが嵌入されている。これらの嵌合構造により仮止めされている右部材１７ｂの第一係合壁１１４と、左部材１８ａの第一嵌合壁１３１には、ねじ孔が設けられており、これらのねじ孔に差し入れられたねじ１４０により両部材は堅固に固定されている。
【００３４】
室内側係合部１３６においては、右部材１７ｂの第二係合壁１１７と、左部材１８ａの第二係合壁１３４とが係合されている。第二係合壁１３４の室内側向きの面は、第二係合壁１１７の室外側向きの面に当接されている。これら２面が当接する部分に室外側方向に雌ねじ形状が形成された貫通孔が設けられていて、この貫通孔にねじ１４１が差し入れられて右部材１７ｂの第二係合壁１１７と、左部材１８ｂの第二係合壁１３４の先端部とが堅固に固定される。
【００３５】
さらに、右部材１７ｂ、及び左部材１８ａの室内側両側端部にはそれぞれ、被嵌入部１４２、および１４３が設けられている。一方、ユニットブラケット７９は設置時における室外側方向に背面壁１５０が備えられており、背面壁１５０の両端部に先端が室外側方向に折り返された突片１５０ａ、および１５０ｂを備えている。被嵌入部１４２、および１４３に、それぞれ突片１５０ａ、および１５０ｂが差し入れられることにより、ユニットブラケット７９は方立Ｈ２の室内側に仮固定される。さらに、背面壁１５０、およびユニットブラケット７９のほぼ中央に設けられたねじ孔へ、右部材１７ｂの第二係合壁１１７に設けられたねじ孔より差し入れられたねじ１４４によって堅固に固定される。
【００３６】
また、右部材１７ｂの左壁１１６には、左部材１８ａ方向に突出した固定部１１６ａ、および１１６ｂが形成されており、固定部１１６ａ、および１１６ｂの先端部同士が向き合うように曲げられている。固定部１１６ａ、および１１６ｂの先端面には貫通孔が設けられており、ねじ１４５、および１４６によって嵌合部１７ｆが固定される。同様に、左部材１８ａの左壁１３３には右部材１７ｂ方向に突出した固定部１３３ａ、および１３３ｂが形成されており、固定部１３３ａ、および１３３ｂの先端部同士が向き合うように曲げられている。固定部１３３ａ、および１３３ｂの先端面には貫通孔が設けられており、ねじ１４７、および１４８によって嵌合部１８ｅが固定される。この固定により、縦方向に枠ユニットが連結されることが可能となる。
【００３７】
よって、ユニットブラケット７９は、方立Ｈ２を保持しつつ、建物の外壁３６に固定されているファスナー５９へ、ねじ１４９にて強固に固定される。
【００３８】
ユニット１７、および１８を例として説明したが、ユニット１４〜２２の横方向の連結、また、ユニット１４〜２２に設けられたユニットブラケット７４〜８５までの取り付け方法は、必要に応じて上記例のとおり行われている。
【００３９】
図５は、本発明によるカーテンウオール１０の施工方法を簡略的に示した正面図である。（ａ）には左端から施工された場合を示す。最下段からｍ番目、左の端部からｎ番目（ｍ、ｎは１以上の整数）の上記枠ユニットをｍＵｎとするとき、ユニットブラケットは下記の（１）〜（４）の法則により枠ユニットｍＵｎに取り付けられている。
（１）ｍ＝１、ｎ＝１の時、左右縦枠の上部および下部（４個所）
（２）ｍ＝１、ｎ≧２の時、右縦枠の上部および下部（２個所）
（３）ｍ≧２、ｎ＝１の時、左右縦枠それぞれの上部（２個所）
（４）ｍ≧２、ｎ≧２の時、右縦枠の上部（１か所）
１Ｕ１は図中の〇印のユニットブラケットにより、左右縦枠の上部および下部を４個所固定される。１Ｕ２はユニットブラケットで右縦枠の上部および下部を２個所固定され、一方では左縦枠の上部および下部は、１Ｕ１の右縦枠の上部および下部に設けられたユニットブラケットを兼用することによって固定されており、四隅が安定して建物の躯体１６０に固定されている。１Ｕ２と同様、１Ｕ３〜１Ｕｎは、ユニットブラケットで右縦枠の上部および下部を２個所固定され、かつ、「ｎマイナス１」の枠ユニットに設けられた右縦枠の上部および下部のユニットブラケットを兼用することによって四隅を安定して固定される。
【００４０】
また、２Ｕ１はユニットブラケットで左右縦枠それぞれの上部を２個所固定され、一方では１Ｕ１の左右縦枠それぞれの上部に２個所設けられたユニットブラケットを兼用することによって四隅を安定して固定されている。カーテンウオール１０の施工においては、ｍＵ１で示される枠ユニットは、いずれも２Ｕ１と同様に、「ｍマイナス１」の枠ユニットに設けられた左右縦枠の上部のユニットブラケットを兼用することによって四隅を安定して固定される。
【００４１】
さらに、２Ｕ２はユニットブラケット右縦枠の上部を１か所固定されている。また、その一方では、２Ｕ１の右縦枠の上部に設けられたユニットブラケットと、１Ｕ２の左右縦枠の上部に設けられたユニットブラケットとを兼用することによって四隅を安定して固定されている。カーテンウオール１０の施工においては、ｍ≧２Ｕｎ≧２で示される枠ユニットは、いずれも２Ｕ２と同様に、「ｎマイナス１」の枠ユニットに設けられた右縦枠の上部のユニットブラケットと、「ｍマイナス１」の枠ユニットの左右縦枠の上部に設けられたユニットブラケットとを兼用することによって四隅を安定して固定される。
【００４２】
（ｂ）には右端から施工された場合を示す。上記図（ａ）に示した構造と鏡面構造であるため、説明を省略する。
【００４３】
ユニットブラケットは、上記ファスナーに固定できればよく、本実施例では上端、もしくは下端に配されているが、枠材の半分より上の上部、もしくは半分より下の下部で固定されていてもよい。
【００４４】
このように本発明にかかる外壁は、少ない部品で、ねじ等による簡便な固定手段によって効率よく施工ができ、少ない部品であるにもかかわらず、それぞれのユニットの上端はユニットブラケットで直接に建物躯体へ固定されているため、カーテンウオール上端からの反り返し等を防ぐことができ、堅固に建物へ固定することが可能である。
【００４５】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う外壁もまた本発明の技術的範囲に包含されるものとして理解されなければならない。
【００４６】
【発明の効果】
以上に説明したように、請求項１に記載の発明によれば、カーテンウオールを構成する枠ユニットにおいて、隣接する枠ユニットと固定具を併用することで、従来工法と同様の取付け強度を保持しつつ、固定具、及び固定部品等を減らすことができ、低コストで強固にカーテンウオールを施工できる。
【００４７】
また、請求項２の発明によれば、カーテンウオールを構成する枠ユニットのうち、隣接する左部材と右部材とを１つの枠として固定し、上下で隣接する左部材と右部材においても１つの枠として固定し、さらに隣接する部材のない左部材、もしくは右部材は、単独で固定することが可能となる。そのため、固定具、及び固定部品等を減らしつつ、端部のユニットにおいては必要個数の金具を使用することにより従来工法と同様の取付け強度が保持され、低コストで、かつ取付けの手間が省かれるため工期を短縮してカーテンウオールを施工することができる。
【図面の簡単な説明】
【図１】外壁を備えた建物を示す正面図である。
【図２】ユニット工法によって建物外壁へ取り付けられたカーテンウオールを示す概念図である。
【図３】枠ユニットを構成する部材を概略的に示す拡大図である。（ａ）には、室外方向からの左端よりｍ≧２、ｎ≧２で示される一例を、また、（ｂ）には、室外方向からの左端よりｍ≧２、ｎ＝２で示される一例を示す。
【図４】図３に示すＩＶ−ＩＶ線に沿った矢視水平断面図である。
【図５】カーテンウオールの施工方法を簡略的に示した正面図である。（ａ）には左端から施工された場合を、また（ｂ）には右端から施工された場合を示す。
【図６】カーテンウオールの取付け方法を示す概念図である。（ａ）には本発明の取付け方法を、また（ｂ）には従来の取付け方法を示す。
【図７】従来の外壁を示す概念図である。（ａ）には外壁を備えた建物の正面図を、また、（ｂ）には、公知のユニット工法によって外壁へ取り付けられたカーテンウオールを示す概念図を示す。
【図８】従来の外壁方立の水平断面の一例を示す図である。
【符号の説明】
１０  カーテンウオール
１４ａ  左部材（縦材）
１４ｂ  右部材（縦材）
１４ｃ  上部材
１４ｄ  下部材
１４  枠ユニット
１４ｅ  嵌合部
１４ｆ  嵌合部
５０  建物（建物躯体）
７４，７５，７６、７７、７８、７９、８０、８１、８２、８３、８４、８５，固定具
【図１】
2005002574.tif 000003
【図２】
2005002574.tif 000004
【図３】
2005002574.tif 000005
【図４】
2005002574.tif 000006
【図５】
2005002574.tif 000007
【図６】
2005002574.tif 000008
【図７】
2005002574.tif 000009
【図８】
2005002574.tif 000010